(57)【要約】      （修正有）【課題】引き手がスライダー本体から離脱するのを防ぐことができる洗濯ネット及び洗濯ネットの引き手の移動方法を提供するものである。【解決手段】洗濯ネットＡは、立設接続部Ｆに対する引き手２２の移動が、第１直線部Ｘ、第２の直線部Ｙ及び接続部Ｚの全体に亘るように、立設接続部Ｆと引き手２２とは、立設接続部Ｆと引き手２２との間に形成された隙間１０を有して係止されているものである。【選択図】図４
2007296222.tif 000002
【特許請求の範囲】
【請求項１】
洗濯物を出し入れするための出し入れ口に対し、開閉自在なファスナーを有すると共に、網状部材で形成された洗濯ネットであって、
前記ファスナーの開閉は、スライダー本体に取り付けられた引き手で行われるものであり、
前記引き手は、先端にＵ字形状の係止部を有し、
このＵ字形状の係止部は、対向すると共に平行な第１、第２の直線部と、この第１の直線部と前記第２の直線部とを接続する接続部とから構成されるものであり、
前記接続部と前記第１の直線部との接続部位はアール形状に形成され、前記接続部と前記第２の直線部との接続部位はアール形状に形成され、
前記スライダー本体に設けられる引き手取付部は、前記引き手の前記Ｕ字形状の係止部を介して取り付けられるものであり、
前記引き手取付部は、前記ファスナーの開側に位置すると共に、前記スライダー本体の上面に対して立設する開側立設部と、前記ファスナーの閉側に位置すると共に、前記スライダー本体の上面に対して立設する閉側立設部と、この閉側立設部と前記開側立設部とにそれぞれ接続される立設接続部とを備え、
前記引き手が前記開側立設部又は前記閉側立設部に倒れ込んだ時、前記引き手が前記開側立設部又は前記閉側立設部の周りを１８０°以上回動できないように、前記開側立設部又は前記閉側立設部に対して、前記Ｕ字形状の係止部の前記第１の直線部、前記第２の直線部、前記接続部の寸法を設定したものであり、
前記立設接続部に対する前記引き手の移動が、前記第１の直線部、前記第２の直線部及び前記接続部の全体に亘るように、前記立設接続部と前記引き手とは、前記立設接続部と前記引き手との間に形成された隙間を有して係止されている
ことを特徴とする洗濯ネット。
【請求項２】
引き手取付部に取り付けられると共に、一端がスライダー本体に設けた孔よりファスナーの務歯の間に位置するように屈曲する屈曲部を有するロック部材と、
このロック部材の前記屈曲部より前記一端に向かう側と反対側の部位の下に引き手のＵ字形状の係止部が位置し、
常時は前記ロック部材の前記一端が前記ファスナーの務歯の間に位置して、出し入れ口が開くのを阻止し、前記引き手を前記立設接続部の側へ引き上げたとき、前記ロック部材の一端が前記ファスナーの務歯の間から離脱するように構成されていることを特徴とする請求項１記載の洗濯ネット。
【請求項３】
洗濯物を出し入れするための出し入れ口に対し、開閉自在なファスナーを有すると共に、網状部材で形成された洗濯ネットであって、
前記ファスナーの開閉は、スライダー本体に取り付けられた引き手で行われるものであり、
前記引き手は、先端にＵ字形状の係止部を有し、
このＵ字形状の係止部は、対向すると共に平行な第１、第２の直線部と、この第１の直線部と前記第２の直線部とを接続する接続部とから構成されるものであり、
前記接続部と前記第１の直線部との接続部位はアール形状に形成され、前記接続部と前記第２の直線部との接続部位はアール形状に形成され、
前記スライダー本体に設けられる引き手取付部は、前記引き手の前記Ｕ字形状の係止部を介して取り付けられるものであり、
前記引き手取付部は、前記ファスナーの開側に位置すると共に、前記スライダー本体の上面に対して立設する開側立設部と、前記ファスナーの閉側に位置すると共に、前記スライダー本体の上面に対して立設する閉側立設部と、この閉側立設部と前記開側立設部とにそれぞれ接続される立設接続部とを備え、
前記引き手が前記開側立設部又は前記閉側立設部に倒れ込んだ時、前記引き手が前記開側立設部又は前記閉側立設部の周りを１８０°以上回動できないように、前記開側立設部又は前記閉側立設部に対して、前記Ｕ字形状の係止部の前記第１の直線部、前記第２の直線部、前記接続部の寸法を設定したものであり、
前記立設接続部に対する前記引き手の移動が、前記第１の直線部、前記第２の直線部及び前記接続部の全体に亘るように、前記立設接続部と前記引き手とは、前記立設接続部と前記引き手との間に形成された隙間を有して係止され、
前記洗濯ネットを洗濯槽内に入れて、洗濯する際、前記立設接続部と前記引き手との間に形成された前記隙間を利用して、前記立設接続部に対する前記引き手の移動が、前記引き手の前記第１の直線部、前記第２の直線部及び前記接続部の全体に亘るようにすることを特徴とする洗濯ネットの引き手の移動方法。
【発明の詳細な説明】
【技術分野】
【０００１】
本発明は、洗濯ネット及び洗濯ネットの引き手の移動方法に係り、特に、引き手の摩耗による損傷の軽減化を図って引き手がスライダー本体から離脱するのを防ぐことができる洗濯ネット及び洗濯ネットの引き手の移動方法に関する。
【背景技術】
【０００２】
本件発明者は、先に、洗濯物を出し入れするための出し入れ口に対し、開閉自在なファスナーの開閉を、スライダー本体に取り付けられた引き手に装着した該引き手より大きな略平板状の把持体で行わうようにすると共に、前記把持体に使用用途を表示する凸形状の文字を付した洗濯ネットを提案した（例えば、特許文献１参照）。
この洗濯ネットにあっては、出し入れ口をファスナーにより閉じ、出し入れ口の隅部に設けたカバー体にファスナーの引き手を収納すれば、支障は生じない。
【特許文献１】実用新案登録第３１１３０３４号公報（図２）
【発明の開示】
【発明が解決しようとする課題】
【０００３】
しかしながら、上述した洗濯ネットにあっては、洗濯ネットの出し入れ口をファスナーにより閉じても、ファスナーをカバー体に収納しなかったり、また、出し入れ口をファスナーにより完全に閉じず、ファスナーの引き手がフリーな状態で洗濯されると、引き手を取り付ける引き手取付部と前記引き手との間隙が小さいため、引き手が引き手取付部に対して僅かに移動し、しかも、引き手の接触する部位は同じ部位であると共に、引き手が移動しにくい分、洗濯槽内の水、洗濯物等による強い力が引き手に作用して、引き手を摩耗させて、スライダー本体から引き手が離脱するという問題点が生じた。
【０００４】
本発明は、上記の問題点を除去するようにした洗濯ネット及び洗濯ネットの引き手の移動方法を提供することを目的とする。
【課題を解決するための手段】
【０００５】
本発明の洗濯ネットは、洗濯物を出し入れするための出し入れ口に対し、開閉自在なファスナーを有すると共に、網状部材で形成された洗濯ネットであって、前記ファスナーの開閉は、スライダー本体に取り付けられた引き手で行われるものであり、前記引き手は、先端にＵ字形状の係止部を有し、このＵ字形状の係止部は、対向すると共に平行な第１、第２の直線部と、この第１の直線部と前記第２の直線部とを接続する接続部とから構成されるものであり、前記接続部と前記第１の直線部との接続部位はアール形状に形成され、前記接続部と前記第２の直線部との接続部位はアール形状に形成され、前記スライダー本体に設けられる引き手取付部は、前記引き手の前記Ｕ字形状の係止部を介して取り付けられるものであり、前記引き手取付部は、前記ファスナーの開側に位置すると共に、前記スライダー本体の上面に対して立設する開側立設部と、前記ファスナーの閉側に位置すると共に、前記スライダー本体の上面に対して立設する閉側立設部と、この閉側立設部と前記開側立設部とにそれぞれ接続される立設接続部とを備え、前記引き手が前記開側立設部又は前記閉側立設部に倒れ込んだ時、前記引き手が前記開側立設部又は前記閉側立設部の周りを１８０°以上回動できないように、前記開側立設部又は前記閉側立設部に対して、前記Ｕ字形状の係止部の前記第１の直線部、前記第２の直線部、前記接続部の寸法を設定したものであり、前記立設接続部に対する前記引き手の移動が、前記第１の直線部、前記第２の直線部及び前記接続部の全体に亘るように、前記立設接続部と前記引き手とは、前記立設接続部と前記引き手との間に形成された隙間を有して係止されているものである。
【０００６】
また、請求項２記載の洗濯ネットは、請求項１記載の洗濯ネットにおいて、引き手取付部に取り付けられると共に、一端がスライダー本体に設けた孔よりファスナーの務歯の間に位置するように屈曲する屈曲部を有するロック部材と、このロック部材の前記屈曲部より前記一端に向かう側と反対側の部位の下に引き手のＵ字形状の係止部が位置し、常時は前記ロック部材の前記一端が前記ファスナーの務歯の間に位置して、出し入れ口が開くのを阻止し、前記引き手を前記立設接続部の側へ引き上げたとき、前記ロック部材の一端が前記ファスナーの務歯の間から離脱するように構成されているものである。
【０００７】
また、請求項３記載の洗濯ネットの引き手の移動方法は、洗濯物を出し入れするための出し入れ口に対し、開閉自在なファスナーを有すると共に、網状部材で形成された洗濯ネットであって、前記ファスナーの開閉は、スライダー本体に取り付けられた引き手で行われるものであり、前記引き手は、先端にＵ字形状の係止部を有し、このＵ字形状の係止部は、対向すると共に平行な第１、第２の直線部と、この第１の直線部と前記第２の直線部とを接続する接続部とから構成されるものであり、前記接続部と前記第１の直線部との接続部位はアール形状に形成され、前記接続部と前記第２の直線部との接続部位はアール形状に形成され、前記スライダー本体に設けられる引き手取付部は、前記引き手の前記Ｕ字形状の係止部を介して取り付けられるものであり、前記引き手取付部は、前記ファスナーの開側に位置すると共に、前記スライダー本体の上面に対して立設する開側立設部と、前記ファスナーの閉側に位置すると共に、前記スライダー本体の上面に対して立設する閉側立設部と、この閉側立設部と前記開側立設部とにそれぞれ接続される立設接続部とを備え、前記引き手が前記開側立設部又は前記閉側立設部に倒れ込んだ時、前記引き手が前記開側立設部又は前記閉側立設部の周りを１８０°以上回動できないように、前記開側立設部又は前記閉側立設部に対して、前記Ｕ字形状の係止部の前記第１の直線部、前記第２の直線部、前記接続部の寸法を設定したものであり、前記立設接続部に対する前記引き手の移動が、前記第１の直線部、前記第２の直線部及び前記接続部の全体に亘るように、前記立設接続部と前記引き手とは、前記立設接続部と前記引き手との間に形成された隙間を有して係止され、
前記洗濯ネットを洗濯槽内に入れて、洗濯する際、前記立設接続部と前記引き手との間に形成された前記隙間を利用して、前記立設接続部に対する前記引き手の移動が、前記引き手の前記第１の直線部、前記第２の直線部及び前記接続部の全体に亘るようにするものである。
【発明の効果】
【０００８】
請求項１記載の洗濯ネットによれば、引き手取付部に対する引き手の移動は、第１の直線部、第２の直線部及び接続部の全体に亘るように、立設接続部と引き手とは、隙間を有して係止されているため、洗濯ネットを洗濯槽内に入れて、洗濯する際、引き手に、水  、洗濯物等による力が作用しても、引き手が移動し易いため、従来のように強い力が引き手に作用しにくく、しかも、引き手の移動する距離が増加した分、引き手の一部が損傷するのを防止して、引き手がスライダー本体から離脱するのを防ぐことができる。
【０００９】
また、請求項２記載の洗濯ネットによれば、引き手取付部に対する引き手の移動は、第１の直線部、第２の直線部及び接続部の全体に亘るように、立設接続部と引き手とは、隙間を有して係止されているため、洗濯ネットを洗濯槽内に入れて、洗濯する際、引き手に、水  、洗濯物等による力が作用しても、引き手が移動し易いため、従来のように強い力が引き手に作用しにくく、しかも、引き手の移動する距離が増加した分、ロック部材との摩耗によって引き手の一部が損傷するのを防止して、引き手がスライダー本体から離脱するのを防ぐことができる。
【００１０】
また、請求項３記載の洗濯ネットの引き手の移動方法によれば、立引き手取付部に対する引き手の移動を、第１の直線部、第２の直線部及び接続部の全体に亘るように、立設接続部と引き手とは、隙間を有して係止されているため、洗濯ネットを洗濯槽内に入れて、洗濯する際、引き手に、水  、洗濯物等による力が作用しても、引き手が移動し易いため、従来のように強い力が引き手に作用しにくく、しかも、引き手の移動する距離が増加した分、引き手の一部が損傷するのを防止して、引き手がスライダー本体から離脱するのを防ぐことができる。
【発明を実施するための最良の形態】
【００１１】
本発明の洗濯ネット及び洗濯ネットの引き手の移動方法の一実施例を図面を参照して説明する。
図１〜図８において、Ａは洗濯物（図示せず）を入れる網状部材で形成された洗濯ネットで、洗濯ネットＡは、洗濯物を出し入れするための出し入れ口１を有すると共に、出し入れ口１に対し、開閉自在なファスナー２を有する。３は、出し入れ口１を閉じたファスナー２を収納するカバー体である。
【００１２】
ファスナー２は、スライダー本体２１と、このスライダー本体２１に取り付けられた引き手２２とにより、概略的に構成されている。このスライダー本体２１及び引き手２２の材質は、例えば、金属、プラスチック等である。
ファスナー２の開閉は、出し入れ口１の一方側の務歯１ａと他方側の務歯１ｂを係止  、非係止することにより行われ、具体的には、スライダー本体２１に取り付けられた引き手２２を出し入れ口１の一方側の務歯１ａ及び他方側の務歯１ｂに沿って移動することにより行われる。
【００１３】
引き手２２は、図３に示すように、先端にＵ字形状の係止部２２ａを有し、このＵ字形状の係止部２２ａは、周囲を、対向すると共に平行な第１、第２の直線部Ｘ、Ｙと、この第１の直線部Ｘと第２の直線部Ｙとを接続する接続部Ｚとから構成されるものであり、接続部Ｚと第１の直線部Ｘとの接続部位はアール形状Ｒに形成され、接続部Ｚと第２の直線部Ｙとの接続部位はアール形状Ｒに形成されている。２２ｂは、Ｕ字形状の係止部２２ａから遠い側に位置し、後述する拡大把持体５に係止する係止部である。
【００１４】
スライダー本体２１に設けられる引き手取付部２１ａは、引き手２２のＵ字形状の係止部２２ａを介して取り付けられている。
引き手取付部２１ａは、図４に示すように、側面視、門形状で、該門形状は、ファスナー２の開側に位置すると共に、スライダー本体２１の上面に対して立設する開側立設部Ｄと、ファスナー２の閉側に位置すると共に、スライダー本体２１の上面に対して立設する閉側立設部Ｅと、この閉側立設部Ｅと開側立設部Ｄとにそれぞれ接続される立設接続部Ｆとを備えている。具体的には、対向する開側立設部Ｄ、Ｄと対向する閉側立設部Ｅ、Ｅとの間に立設接続部Ｆが位置すると共に、立設接続部Ｆが閉側立設部Ｅと開側立設部Ｄとに挟持されるようになっている。
【００１５】
また、図７に示すように、引き手２２が開側立設部Ｄに倒れ込んだ時、引き手２２が開側立設部Ｄの周りを１８０°以上回動できないように、例えば、図７に示す矢印方向にしか回動できないように、開側立設部Ｄに対して、Ｕ字形状の係止部の第１の直線部Ｘ、第２の直線部Ｙ、接続部Ｚの寸法を設定している。
なお、引き手２２が閉側立設部Ｅに倒れ込んだ時、引き手２２が開側立設部Ｄと同様に、引き手２２が閉側立設部Ｅの周りを１８０°以上回動できないように、閉側立設部Ｅに対して、Ｕ字形状の係止部の第１の直線部Ｘ、第２の直線部Ｙ、接続部Ｚの寸法を設定している。
そして、引き手取付部２１ａに対する引き手２２の移動が、第１の直線部Ｘ、第２の直線部Ｙ及び接続部Ｚの全体に亘るように、立設接続部Ｆと引き手２２とは、立設接続部Ｆと引き手２２との間に形成された隙間１０[（図４（ａ）]を有して係止されている。
Ｕ字形状の係止部２２ａは、例えば、断面略円（直径約１ｍｍ）形状の部材で形成し  、アール形状Ｒの内周の直径を約２ｍｍ、外周の直径を約３ｍｍとした接続部Ｚと、アール形状Ｒの内周の直径より長い約３．５ｍｍの長さを有する第１、第２の直線部Ｘ、Ｙで構成されている。
【００１６】
従って、洗濯ネットＡを洗濯槽（図示せず）内に入れて、洗濯する際、ファスナー２がカバー体３内に収納されず、出し入れ口１の中途の位置にあっても、引き手取付部２１ａに対する引き手２２の移動は、第１の直線部Ｘ、第２の直線部Ｙ及び接続部Ｚの全体に亘るように、立設接続部Ｆと引き手２２とは、隙間１０［図４（ａ）］を有して係止されているため、言い換えれば、洗濯ネットＡを洗濯槽（図示せず）内に入れて、洗濯する際、立設接続部Ｆと引き手２２との間に形成された隙間１０［図４（ａ）］を利用して、立設接続部Ｆに対する引き手２２の移動が、引き手２２の第１の直線部Ｘ、第２の直線部Ｙ及び接続部Ｚの全体に亘るようにする洗濯ネットＡの引き手２２を移動させる方法であるため、洗濯ネットＡを洗濯槽（図示せず）内に入れて、洗濯する際、引き手２２に、水、洗濯物等による力が作用しても、引き手２２が移動し易いため、従来のように強い力が引き手２２に作用しにくく、しかも、引き手２２の移動する距離が増加した分、引き手２２の一部が損傷するのを防止して、引き手２２がスライダー本体２１から離脱するのを防ぐことができる。
【００１７】
また、４は引き手取付部２１に取り付けられると共に、一端４ａがスライダー本体２１に設けた孔２１ａよりファスナー２の務歯１ａ、１ｂの間に位置するように屈曲する屈曲部４ｂを有するロック部材である（図３及び図４）。
このロック部材４はバネ性を持たせるために、立設接続部Ｆの一方側を折り返して形成されているが、場合により別個に形成しても良い。
また、ロック部材４の屈曲部４ｂより一端４ａに向かう側と反対側の部位４ｃの下に引き手のＵ字形状の係止部２２ａが位置し、常時は、図４（ａ）に示すように、ロック部材４の一端４ａがファスナー２の務歯１ａ、１ｂの間に位置して、出し入れ口１が開くのを阻止し、引き手２２を立設接続部Ｆの側へ引き上げたとき、図４（ｂ）に示すように、ロック部材４の一端４ａがファスナー２の務歯１ａ、１ｂの間から離脱するように構成されている。
【００１８】
ロック部材４が設けられている場合においては、ロック部材４との摩耗によって引き手２２の一部が損傷するのを防止して、引き手２２がスライダー本体２１から離脱するのを防ぐことができる。
なお、場合により、ロック部材４の一端によるファスナー２のロック機構を省略するようにしても良い。かかる場合、つまり、ロック部材４が設けられていない場合においても、引き手取付部２１ａに対する引き手２２の移動は、第１の直線部Ｘ、第２の直線部Ｙ及び接続部Ｚの全体に亘るように、立設接続部Ｆと引き手２２とは、隙間１０［図４（ａ）］を有して係止されているため、引き手取付部２１の立設接続部Ｆとの摩耗によって引き手２２の一部が損傷するのを防止して、引き手２２がスライダー本体２１から離脱するのを防ぐことができる。
また、５は、引き手２２に装着され、手で摘みやすいように、引き手２２より大きい拡大把持体であり、拡大把持体５は、場合により、図８に示すように省略することもできる。
【図面の簡単な説明】
【００１９】
【図１】図１は、本発明の一実施例の洗濯ネットの概略的斜視図である。
【図２】図２は、図１の一部を拡大して示す概略的一部拡大斜視図である。
【図３】図３は、図１のファスナーを分解して示す概略的分解斜視図である。
【図４】図４は、ロック部材によるロック機構を説明するための図で、（ａ）はロック状態、（ｂ）はロック状態が解除された状態の概略的説明図である。
【図５】図５は、図１の洗濯ネットの引き手の動きを示す概略的平面図である。
【図６】図６は、図５の６−６線による概略的断面図である。
【図７】図７は、図１の洗濯ネットの引き手の動きを示す概略的平面図である。
【図８】図８は、図２の引き手から拡大把持体を除去した状態を示す概略的斜視図である。
【符号の説明】
【００２０】
Ａ    洗濯ネット
１０  隙間
２２  引き手
Ｆ    立設接続部
Ｘ    第１直線部
Ｙ    第２の直線部
Ｚ    接続部
【図１】
2007296222.tif 000003
【図２】
2007296222.tif 000004
【図３】
2007296222.tif 000005
【図４】
2007296222.tif 000006
【図５】
2007296222.tif 000007
【図６】
2007296222.tif 000008
【図７】
2007296222.tif 000009
【図８】
2007296222.tif 000010